(57)【要約】【課題】第三者によってパスワードが盗まれることがなく、印刷データが漏洩するのを防止することができるようにする。【解決手段】データ処理装置と画像形成装置とが外部ネットワークを介して接続される。前記データ処理装置は、印刷データ生成部１５、印刷データに基づいて第１のパスワードを生成する第１のパスワード生成部１７、パスワード出力部、及び印刷データを前記画像形成装置に送信する印刷データ送信部１６を備える。前記画像形成装置は、印刷データ受信部２３、第２のパスワードを生成する第２のパスワード生成部２４、パスワード入力部、パスワードを照合するパスワード照合部２６、及び照合結果に基づいて、印刷を行う印刷制御部２５を備える。第１のパスワードは、外部ネットワークを介することなく画像形成装置に入力されるので、第三者によってパスワードが盗まれることがない。【選択図】図１
2010067155.tif 000002
【特許請求の範囲】
【請求項１】
（ａ）データ処理装置と、
（ｂ）該データ処理装置と外部ネットワークを介して接続された画像形成装置とを有するとともに、
（ｃ）前記データ処理装置は、印刷データを生成する印刷データ生成部、前記印刷データに基づいて第１のパスワードを生成する第１のパスワード生成部、前記第１のパスワードを出力するパスワード出力部、及び前記印刷データ生成部によって生成された印刷データを前記画像形成装置に送信する印刷データ送信部を備え、
（ｄ）前記画像形成装置は、前記データ処理装置から印刷データを受信する印刷データ受信部、前記印刷データに基づいて第２のパスワードを生成する第２のパスワード生成部、前記第１のパスワードを入力するためのパスワード入力部、第１のパスワードと第２のパスワードとを照合するパスワード照合部、及び該パスワード照合部による照合結果に基づいて、第２のパスワードに対応する印刷データについて印刷を行う印刷制御部を備えることを特徴とする画像形成システム。
【請求項２】
前記第１、第２のパスワード生成部は、ハッシュ関数を使用して第１、第２のパスワードを生成する請求項１に記載の画像形成システム。
【請求項３】
前記印刷制御部は、第１のパスワードと第２のパスワードとが完全に一致した場合、又は第１のパスワードと第２のパスワードとが一部一致した場合に、前記印刷データについて印刷を行う請求項１に記載の画像形成システム。
【発明の詳細な説明】
【技術分野】
【０００１】
本発明は、画像形成システムに関するものである。
【背景技術】
【０００２】
従来、プリンタ、複写機、ファクシミリ、複合機等の画像形成装置、例えば、プリンタとホストコンピュータとがＬＡＮを介して接続された画像形成システムにおいては、認証印刷を行う場合、ホストコンピュータにおいてパスワードが生成され、該パスワード及び印刷データがプリンタの記憶装置に記録され、その後、操作者がプリンタの操作部を操作してパスワードを入力すると、入力されたパスワードと記憶装置に記録されたパスワードとが照合され、両パスワードが一致すると、印刷データに基づいて印刷が行われるようになっている（例えば、特許文献１参照。）。
【特許文献１】特開平８−１５２９８１号公報
【発明の開示】
【発明が解決しようとする課題】
【０００３】
しかしながら、前記従来の画像形成システムにおいては、パスワードがＬＡＮを介して送信されるので、第三者によってパスワードが盗まれ、印刷データが漏洩してしまう恐れがある。
【０００４】
本発明は、前記従来の画像形成システムの問題点を解決して、第三者によってパスワードが盗まれることがなく、印刷データが漏洩するのを防止することができる画像形成システムを提供することを目的とする。
【課題を解決するための手段】
【０００５】
そのために、本発明の画像形成システムにおいては、データ処理装置と、該データ処理装置と外部ネットワークを介して接続された画像形成装置とを有する。
【０００６】
そして、前記データ処理装置は、印刷データを生成する印刷データ生成部、前記印刷データに基づいて第１のパスワードを生成する第１のパスワード生成部、前記第１のパスワードを出力するパスワード出力部、及び前記印刷データ生成部によって生成された印刷データを前記画像形成装置に送信する印刷データ送信部を備える。
【０００７】
また、前記画像形成装置は、前記データ処理装置から印刷データを受信する印刷データ受信部、前記印刷データに基づいて第２のパスワードを生成する第２のパスワード生成部、前記第１のパスワードを入力するためのパスワード入力部、第１のパスワードと第２のパスワードとを照合するパスワード照合部、及びパスワード照合部による照合結果に基づいて、第２のパスワードに対応する印刷データについて印刷を行う印刷制御部を備える。
【発明の効果】
【０００８】
本発明によれば、画像形成システムにおいては、データ処理装置と、該データ処理装置と外部ネットワークを介して接続された画像形成装置とを有する。
【０００９】
そして、前記データ処理装置は、印刷データを生成する印刷データ生成部、前記印刷データに基づいて第１のパスワードを生成する第１のパスワード生成部、前記第１のパスワードを出力するパスワード出力部、及び前記印刷データ生成部によって生成された印刷データを前記画像形成装置に送信する印刷データ送信部を備える。
【００１０】
また、前記画像形成装置は、前記データ処理装置から印刷データを受信する印刷データ受信部、前記印刷データに基づいて第２のパスワードを生成する第２のパスワード生成部、前記第１のパスワードを入力するためのパスワード入力部、第１のパスワードと第２のパスワードとを照合するパスワード照合部、及びパスワード照合部による照合結果に基づいて、第２のパスワードに対応する印刷データについて印刷を行う印刷制御部を備える。
【００１１】
この場合、データ処理装置において、第１のパスワード生成部によって生成され、パスワード出力部に出力された第１のパスワードは、外部ネットワークを介することなく画像形成装置に入力されるので、第三者によってパスワードが盗まれることはない。したがって、印刷データが漏洩するのを防止することができる。
【発明を実施するための最良の形態】
【００１２】
以下、本発明の実施の形態について図面を参照しながら詳細に説明する。
【００１３】
図１は本発明の第１の実施の形態における画像形成システムを示すブロック図である。
【００１４】
図において、１１は画像形成システムであり、該画像形成システム１１は、データ処理装置としての、かつ、上位装置としてのホストコンピュータ１２、及び画像形成装置としてのプリンタ２１によって構成される。前記ホストコンピュータ１２には、プリンタドライバ１３がインストール（配設）され、プリンタドライバ１３は、印刷データ生成部１５、印刷データ送信部１６及び第１のパスワード生成部１７によって構成される。
【００１５】
そして、前記印刷データ生成部１５は、アプリケーションソフトウェアで作成された文書データから印刷データを生成し、該印刷データを前記印刷データ送信部１６に送信する。印刷データ送信部１６は、受信した印刷データを、外部ネットワークとしてのＬＡＮ１８を介してプリンタ２１に送信する。また、前記第１のパスワード生成部１７は、印刷データ生成部１５から送信された印刷データをパスワード情報として利用し、第１のパスワードを生成する。なお、該第１のパスワードは、操作者がプリンタ２１の操作部としての、かつ、パスワード入力部としてのオペレーションパネル２７を操作することによってプリンタ２１に入力される。
【００１６】
また、１４は前記ホストコンピュータ１２の表示部としての、かつ、パスワード出力部としてのディスプレイであり、該ディスプレイ１４に、第１のパスワード生成部１７から送信された第１のパスワードが出力（表示）され、操作者に通知される。
【００１７】
次に、前記プリンタ２１について説明する。
【００１８】
図において、２３は印刷データ受信部であり、該印刷データ受信部２３は、前記ＬＡＮ１８を介して印刷データを受信すると、該印刷データを、不揮発性の記録部としてのハードディスク２２に記録するとともに、第２のパスワード生成部２４に送信する。該第２のパスワード生成部２４は、受信した印刷データをパスワード情報として利用し、第２のパスワードを生成してハードディスク２２に記録する。なお、第２のパスワード生成部２４は、前記第１のパスワード生成部１７と同一のアルゴリズムで第２のパスワードを生成する。
【００１９】
そして、前記オペレーションパネル２７は、ハードディスク２２に記録された印刷データについて印刷を行うために、操作者による第１のパスワードの入力を受け付ける操作者インタフェースであり、操作者がオペレーションパネル２７を操作して第１のパスワードを入力すると、オペレーションパネル２７は第１のパスワードをパスワード照合部２６に送信する。
【００２０】
該パスワード照合部２６は、受信した第１のパスワードと、ハードディスク２２に記録された第２のパスワードとを順次照合し、照合結果に基づいて、本実施の形態においては、第１のパスワードと第２のパスワードとが一致すると、第１、第２のパスワードに対応する印刷データを印刷制御部２５に送信する。該印刷制御部２５は、受信した印刷データに基づいて印刷画像を形成し、媒体としての用紙に対して印刷を行う。
【００２１】
次に、前記構成の画像形成システム１１の動作について説明する。
【００２２】
図２は本発明の第１の実施の形態における画像形成システムの動作を示すメインフローチャートである。
【００２３】
まず、ホストコンピュータ１２は印刷データ生成・送信処理を行い、印刷データ及び第１のパスワードを生成し、印刷データをプリンタ２１に送信する。次に、プリンタ２１は、印刷データ記録処理を行い、前記印刷データを受信し、印刷データから第２のパスワードを生成し、印刷データ及び第２のパスワードをハードディスク２２に記録する。そして、プリンタ２１は、印刷処理を行い、第１のパスワードと第２のパスワードとを照合し、第１のパスワードと第２のパスワードとが一致すると、印刷を実行する。
【００２４】
次に、フローチャートについて説明する。
ステップＳ１  印刷データ生成・送信処理を行う。
ステップＳ２  印刷データ記録処理を行う。
ステップＳ３  印刷処理を行い、処理を終了する。
【００２５】
次に、印刷データ生成・送信処理について説明する。
【００２６】
図３は本発明の第１の実施の形態における印刷データ生成・送信処理のサブルーチンを示す図である。
【００２７】
まず、操作者が、アプリケーションソフトウェアを使用して文書データを作成し、次に、前記プリンタドライバ１３で、認証印刷を設定し、印刷を開始すると、前記印刷データ生成部１５は、印刷データを生成する。
【００２８】
そして、印刷データが生成されると、前記第１のパスワード生成部１７は、印刷データを読み込み、該印刷データをパスワード情報として利用し、第１のパスワードを生成する。この場合、印刷データのバイト数の総和を入力パラメータｎとするハッシュ関数ｆ（ｎ）
ｆ（ｎ）＝ｎ  ｍｏｄ  ９９７３
を使用して算出されたハッシュ値が第１のパスワードとされる。すなわち、印刷データのバイト数の総和を素数９９７３で除算したときの剰余がハッシュ値にされる。
【００２９】
前記第１のパスワードは、操作者がプリンタ２１による印刷を実行する際に、オペレーションパネル２７を操作して入力するためのものである。この場合、印刷データのバイト数の総和を素数９９７３で除算したときの剰余をハッシュ値にした理由は、第１のパスワード及び後述される第２のパスワードを１０進数の４桁までの数値で表すことができ、ハッシュ値を値域内で可能な限り均等に分けるためである。
【００３０】
このようにして、第１のパスワードが生成されると、第１のパスワード生成部１７は、前記ディスプレイ１４に第１のパスワードを出力し、操作者に通知する。
【００３１】
続いて、印刷データ送信部１６は、印刷データを前記ＬＡＮ１８を介してプリンタ２１に送信する。
【００３２】
なお、前記認証印刷が設定されなかった場合、第１のパスワードは生成されない。
【００３３】
次に、フローチャートについて説明する。
ステップＳ１−１  印刷データを生成する。
ステップＳ１−２  印刷データから第１のパスワードを生成する。
ステップＳ１−３  第１のパスワードを操作者に通知する。
ステップＳ１−４  印刷データをプリンタ２１に送信し、リターンする。
【００３４】
次に、印刷データ記録処理について説明する。
【００３５】
図４は本発明の第１の実施の形態における印刷データ記録処理のサブルーチンを示す図、図５は本発明の第１の実施の形態におけるハードディスクの印刷データの記録状態を示す図である。
【００３６】
プリンタ２１において、前記印刷データ受信部２３がホストコンピュータ１２からＬＡＮ１８を介して送信された印刷データを受信すると、第２のパスワード生成部２４は、受信された印刷データに基づいて、第２のパスワードを生成する。この場合、第１のパスワード生成部１７と同様に、印刷データのバイト数の総和を入力パラメータｎとするハッシュ関数ｆ（ｎ）
ｆ（ｎ）＝ｎ  ｍｏｄ  ９９７３
を使用して算出されたハッシュ値が第２のパスワードとされる。すなわち、印刷データのバイト数の総和を素数９９７３で除算したときの剰余がハッシュ値にされる。
【００３７】
続いて、第２のパスワード生成部２４は、印刷データ受信部２３によって受信された印刷データと、第２のパスワード生成部２４によって生成された印刷データとを対応させて、前記ハードディスク２２に記録する。ハードディスク２２においては、図５に示されるように、受信した印刷データｄｔｉ（ｉ＝１、２、…、ｍ）と第２のパスワードｐｗｉ（ｉ＝１、２、…、ｍ）とが対応させて記録領域に順次記録される。この場合、ｍは９９７３である。
【００３８】
なお、前記認証印刷が設定されなかった場合、第２のパスワードは生成されず、印刷データはハードディスク２２に記録されない。
【００３９】
次に、フローチャートについて説明する。
ステップＳ２−１  印刷データを受信する。
ステップＳ２−２  印刷データからパスワードを生成する。
ステップＳ２−３  印刷データ及びパスワードをハードディスク２２に記録し、リターンする。
【００４０】
次に、前記印刷データについての印刷処理について説明する。
【００４１】
図６は本発明の第１の実施の形態における印刷処理のサブルーチンを示す図、図７は本発明の第１の実施の形態におけるパスワード照合処理のサブルーチンを示す図である。
【００４２】
まず、操作者が、オペレーションパネル２７を操作して、ＬＡＮ１８を介することなくディスプレイ１４によって通知された第１のパスワードを入力すると、パスワード照合部２６はパスワード照合処理を行う。
【００４３】
該パスワード照合処理において、パスワード照合部２６はパスワード、すなわち、入力された第１のパスワードと、ハードディスク２２に記録された第２のパスワードとを順次比較し、第１のパスワードと第２のパスワードとが一致するかどうかを判断する。
【００４４】
第１のパスワードと第２のパスワードとが一致すると、パスワード照合部２６はパスワード照合処理を終了し、第２のパスワードと対応する印刷データをハードディスク２２から読み出し、印刷制御部２５に送信する。該印刷制御部２５は、印刷データを受信すると、印刷画像を形成し、印刷を実行する。なお、第１のパスワードと第２のパスワードとが一致しない場合、印刷処理は終了される。
【００４５】
このように、本実施の形態においては、第１のパスワードがＬＡＮ１８を介して送信されることはないので、第三者によってパスワードが盗まれることがなくなる。したがって、印刷データが漏洩するのを防止することができる。
【００４６】
次に、図６のフローチャートについて説明する。
ステップＳ３−１  操作者が第１のパスワードを入力する。
ステップＳ３−２  パスワード照合処理を行う。
ステップＳ３−３  第１のパスワードと第２のパスワードとが一致したかどうかを判断する。第１のパスワードと第２のパスワードとが一致した場合はステップＳ３−４に進み、一致しない場合はリターンする。
ステップＳ３−４  印刷を実行し、リターンする。
【００４７】
次に、図７のフローチャートについて説明する。
ステップＳ３−２−１  第１のパスワードと第２のパスワードとを順次比較する。
ステップＳ３−２−２  第１のパスワードと第２のパスワードとが一致したかどうかを判断する。第１のパスワードと第２のパスワードとが一致した場合はリターンし、一致しない場合はステップＳ３−２−３に進む。
ステップＳ３−２−３  第１のパスワードと第２のパスワードとの比較が終了したかどうかを判断する。第１のパスワードと第２のパスワードとの比較が終了した場合はリターン
し、比較が終了していない場合はステップＳ３−２−１に戻る。
【００４８】
本実施の形態においては、第１のパスワードがディスプレイ１４に出力され、操作者に通知されるようになっているが、ＵＳＢメモリ、ＩＣカード等のような携帯可能な記録媒体に第１のパスワードを記録することができる。
【００４９】
また、本実施の形態においては、不揮発性の記録部としてのハードディスク２２が使用されるようになっているが、ハードディスク２２に代えて、一定の記憶容量を有するフラッシュメモリを使用することもできる。
【００５０】
そして、本実施の形態においては、第１のパスワードを入力するための入力部としてオペレーションパネル２７が使用されるようになっているが、入力部として、第１のパスワードが記録されたＵＳＢメモリから第１のパスワードを読み出すためのＵＳＢポートを使用したり、第１のパスワードが記録されたＩＣカードから第１のパスワードを読み出すためのＩＣカード読取装置等を使用したりすることもできる。
【００５１】
さらに、本実施の形態において、印刷データは、プリンタ２１から送信された順にハードディスク２２に記録されるようになっているが、ハードディスク２２にハッシュテーブルを設定し、算出されたハッシュ値ごとに該当する記憶領域に記録することができる。その場合、第１のパスワードのハッシュ値と同じハッシュ値の記憶領域から第２のパスワードを読み出すことによって、第１のパスワードと第２のパスワードとを比較することができるので、照合処理を高速で行うことができる。
【００５２】
また、本実施の形態においては、第１のパスワードと第２のパスワードとが完全に一致した場合に印刷が行われるようになっているが、第１のパスワードと第２のパスワードとが一部一致した場合に印刷を行うようにすることもできる。具体的には、第１、第２のパスワードに、例えば、チェックサム、ＣＲＣ（巡回冗長検査）等のような付加情報が付加される。その場合、付加情報が付加された第２のパスワードがハードディスク２２に記録され、付加情報が付加された第１のパスワードが入力されると、パスワード照合処理において、第１のパスワードと第２のパスワードとが、付加情報を除いた部分で比較される。
【００５３】
さらに、第１、第２のパスワードがあらかじめ設定された所定の関係にあるときに印刷が行われるようにすることができる。
【００５４】
ところで、複写機においては、一般に、画像を読み取るスキャナと画像を形成するプリンタとが一体に形成されるが、スキャナ及び該スキャナから離れた箇所に独立させて配設されたプリンタから成る画像形成システムに適用した本発明の第２の実施の形態について説明する。なお、第１の実施の形態と同じ構造を有するものについては、同じ符号を付与し、同じ構造を有することによる発明の効果については同実施の形態の効果を援用する。
【００５５】
図８は本発明の第２の実施の形態における画像形成システムを示すブロック図である。なお、この場合、主として画像読取装置としてのスキャナ３２について説明し、それ以外の部分については第１の実施の形態と同様であるので、説明を省略する。
【００５６】
図において、画像形成システム３１は、スキャナ３２及び画像形成装置としてのプリンタ２１によって構成され、前記スキャナ３２は、印刷データ送信部１６、第１のパスワード生成部１７、画像読取部３３、画像データ変換部３４、及びパスワード出力部としてのディスプレイ１４によって構成される。なお、前記スキャナ３２によってデータ処理装置が構成される。
【００５７】
前記画像読取部３３が原稿の画像を読み取り、画像データを生成すると、画像データ変換部３４は、前記画像データを印刷データに変換する。そして、印刷データ送信部１６は、前記印刷データを外部ネットワークとしてのＬＡＮ１８を介してプリンタ２１に送信する。
【００５８】
また、前記第１のパスワード生成部１７は、前記印刷データに基づいて第１のパスワードを生成し、該第１のパスワードをディスプレイ１４に出力し、操作者に通知する。
【００５９】
次に、前記構成の画像形成システム３１の動作について説明する。
【００６０】
図９は本発明の第２の実施の形態における画像形成システムの動作を示すメインフローチャートである。
【００６１】
まず、スキャナ３２は、原稿の画像を読み取り、画像データを生成し、更に画像データを印刷データに変換する。続いて、スキャナ３２は、印刷データから第１のパスワードを生成し、操作者に通知するとともに、印刷データをプリンタ２１に送信する。次に、プリンタ２１は、印刷データ記録処理を行い、スキャナ３２から送信された印刷データを受信し、印刷データから第２のパスワードを生成し、印刷データ及び第２のパスワードを不揮発性の記録部としてのハードディスク２２に記録する。そして、プリンタ２１は、印刷処理を行い、第１のパスワードと第２のパスワードとを照合し、第１のパスワードと第２のパスワードとが一致すると、印刷を実行する。
【００６２】
次に、フローチャートについて説明する。
ステップＳ１１  画像データ変換処理を行う。
ステップＳ１２  パスワード通知処理を行う。
ステップＳ１３  印刷データ記録処理を行う。
ステップＳ１４  印刷処理を行い、処理を終了する。
【００６３】
次に、画像データ変換処理について説明する。
【００６４】
図１０は本発明の第２の実施の形態における画像データ変換処理のサブルーチンを示す図である。
【００６５】
まず、操作者がスキャナ３２に原稿をセットすると、画像読取部３３は、原稿の画像を読み取り、画像データを生成し、画像データ変換部３４に送信する。該画像データ変換部３４は、画像データを受信すると、画像データを印刷データに変換する。
【００６６】
次に、フローチャートについて説明する。  
ステップＳ１１−１  原稿の画像を読み取り、画像データを生成する。
ステップＳ１１−２  画像データを印刷データに変換し、リターンする。
【００６７】
次に、パスワード通知処理について説明する。
【００６８】
図１１は本発明の第２の実施の形態におけるパスワード通知処理のサブルーチンを示す図である。
【００６９】
画像データが印刷データに変換されると、第１のパスワード生成部１７は、印刷データを読み込み、印刷データの情報に基づいて第１のパスワードを生成する。この場合、第１の実施の形態と同様に、印刷データのバイト数の総和を入力パラメータｎとするハッシュ関数ｆ（ｎ）
ｆ（ｎ）＝ｎ  ｍｏｄ  ９９７３
を使用して算出されたハッシュ値が第１のパスワードとされる。すなわち、印刷データのバイト数の総和を素数９９７３で除算したときの剰余がハッシュ値にされる。
【００７０】
前記第１のパスワードは、操作者がプリンタ２１による印刷を実行する際に、パスワード入力部としてのオペレーションパネル２７を操作して入力するためのものである。
【００７１】
このようにして、第１のパスワードが生成されると、第１のパスワード生成部１７は、ディスプレイ１４に第１のパスワードを出力し、操作者に通知する。
【００７２】
続いて、印刷データ送信部１６は、印刷データをＬＡＮ１８を介してプリンタ２１に送信する。
【００７３】
なお、前記認証印刷が設定されなかった場合、第１のパスワードは生成されない。
【００７４】
本実施の形態においては、画像読取部３３によって生成された第１のパスワードがＬＡＮ１８を介して送信されることはないので、第三者によってパスワードが盗まれることがなくなる。したがって、印刷データが漏洩するのを防止することができる。
【００７５】
次に、フローチャートについて説明する。
ステップＳ１２−１  印刷データから第１のパスワードを生成する。
ステップＳ１２−２  第１のパスワードを操作者に通知する。
ステップＳ１２−３  印刷データをプリンタ２１に送信し、リターンする。
【００７６】
なお、ステップＳ１３の印刷データ記録処理及びステップＳ１４の印刷処理は、第１の実施の形態と同じであるので、説明を省略する。
【００７７】
本実施の形態において、第１のパスワード生成部１７は、第１のパスワードをディスプレイ１４に表示するようになっているが、操作者の使用する上位装置としてのホストコンピュータにＥメール等によって通知することもできる。この場合、ホストコンピュータによってパスワード出力部が構成される。
【００７８】
そして、前記各実施の形態においては、プリンタ２１において認証印刷を行う場合について説明しているが、本発明をファクシミリ装置、複合機等に適用することができる。
【００７９】
なお、本発明は前記各実施の形態に限定されるものではなく、本発明の趣旨に基づいて種々変形させることが可能であり、それらを本発明の範囲から排除するものではない。
【図面の簡単な説明】
【００８０】
【図１】本発明の第１の実施の形態における画像形成システムを示すブロック図である。
【図２】本発明の第１の実施の形態における画像形成システムの動作を示すメインフローチャートである。
【図３】本発明の第１の実施の形態における印刷データ生成・送信処理のサブルーチンを示す図である。
【図４】本発明の第１の実施の形態における印刷データ記録処理のサブルーチンを示す図である。
【図５】本発明の第１の実施の形態におけるハードディスクの印刷データの記録状態を示す図である。
【図６】本発明の第１の実施の形態における印刷処理のサブルーチンを示す図である。
【図７】本発明の第１の実施の形態におけるパスワード照合処理のサブルーチンを示す図である。
【図８】本発明の第２の実施の形態における画像形成システムを示すブロック図である。
【図９】本発明の第２の実施の形態における画像形成システムの動作を示すメインフローチャートである。
【図１０】本発明の第２の実施の形態における画像データ変換処理のサブルーチンを示す図である。
【図１１】本発明の第２の実施の形態におけるパスワード通知処理のサブルーチンを示す図である。
【符号の説明】
【００８１】
１１、３１    画像形成システム
１２    ホストコンピュータ
１５    印刷データ生成部
１６    印刷データ送信部
１７    第１のパスワード生成部
１８    ＬＡＮ
２１    プリンタ
２３    印刷データ受信部
２４    第２のパスワード生成部
２５    印刷制御部
２７    オペレーションパネル
【図１】
2010067155.tif 000003
【図２】
2010067155.tif 000004
【図３】
2010067155.tif 000005
【図４】
2010067155.tif 000006
【図５】
2010067155.tif 000007
【図６】
2010067155.tif 000008
【図７】
2010067155.tif 000009
【図８】
2010067155.tif 000010
【図９】
2010067155.tif 000011
【図１０】
2010067155.tif 000012
【図１１】
2010067155.tif 000013